(57)【特許請求の範囲】
【請求項１】
受水槽内の水位に応じて上下揺動する梃子杆に連繋した弁体が弁箱内に設けた弁口を開閉弁することにより、受水槽の水位を予め設定された水位に維持する様に成したボールタップにおいて、弁体は閉弁方向にバネにて付勢され、梃子杆には受水槽内の水位に応じて浮沈する重錘を懸吊して成り、バネの付勢力は、梃子杆の重錘の未懸吊状態で閉弁状態を保持する様に設定すると共に、梃子杆による重錘の懸吊状態において前記の設定された水位では重錘の水中に漬かった重量に抗することで閉弁し、前記の設定された水位よりも低水位では重錘の水中に漬かった重量又は水上での重量が抗することで開弁する様に設定し、梃子杆の先端には、重錘を懸吊する吊り下げ具の上端を、所定の振動・衝撃に感応して離脱可能に掛止したことを特徴とするボールタップ。
【請求項２】
梃子杆の先端に上向きに凹形のフックを設け、該フックに掛止するリングを吊り下げ具の上端に設けたことを特徴とする請求項１記載のボールタップ。
【請求項３】
梃子杆の先端に上向きな凹面部を設け、該凹面部に掛止するフックを吊り下げ具の上端に設けたことを特徴とする請求項１記載のボールタップ。
【請求項４】
重錘は、プラスチック製の飲料容器に重り材を封入して成ることを特徴とする請求項１、２又は３記載のボールタップ。
【請求項５】
バネを弾圧するバネ受けをバネの伸縮方向に進退自在に設けたことを特徴とする請求項１、２、３又は４記載のボールタップ。
【発明の詳細な説明】
【技術分野】
【０００１】
本発明は、ボールタップに関する。
【背景技術】
【０００２】
従来より見受けられる極一般的なボールタップは、水位の変化に応動するフロートの揺動により梃子式の倍力機構を介して弁体が弁口を開閉する構成であり、受水槽内の水位をフロートの浮力と給水圧力とのバランスによって制御する（例えば、特許文献１参照）。
【先行技術文献】
【特許文献】
【０００３】
【特許文献１】実公昭５７−６８５４号公報
【発明の概要】
【発明が解決しようとする課題】
【０００４】
上記のボールタップは、受水槽内の貯留水の水位が設定水位以上であると、フロートが浮上し、その浮力を倍力機構により増幅して弁体を閉弁方向へ押し上げ、弁口を水密状に閉塞し、閉弁するものであるが、不慮の事故や地震などの災害が生じた時に、フロートや倍力機構の梃子杆などが破損すると、弁体は閉弁状態を維持できない。
【０００５】
この様な事態が生ずると、受水槽内への給水は止まることはなく、不用意なオーバーフロー漏水を引き起し、広域にわたる水の異常消費は、地域給水にさまざまな不都合が発生しかねないといった課題を有していた。
そこで、本発明では、事故や災害などの発生時に故障を生じても給水を確実に停止可能なボールタップを提供することを目的としている。
【課題を解決するための手段】
【０００６】
上記課題に鑑み、本発明に係るボールタップは、受水槽内の水位に応じて上下揺動する梃子杆に連繋した弁体が弁箱内に設けた弁口を開閉弁することにより、受水槽の水位を予め設定された水位に維持する様に成したものであって、弁体は閉弁方向にバネにて付勢され、梃子杆には受水槽内の水位に応じて浮沈する重錘を懸吊して成り、バネの付勢力は、梃子杆の重錘の未懸吊状態で閉弁状態を保持する様に設定すると共に、梃子杆による重錘の懸吊状態において前記の設定された水位では重錘の水中に漬かった重量に抗することで閉弁し、前記の設定された水位よりも低水位では重錘の水中に漬かった重量又は水上での重量が抗することで開弁する様に設定したことを特徴とする。
又、梃子杆の先端には、重錘を懸吊する吊り下げ具の上端を、所定の振動・衝撃に感応して離脱可能に掛止したことを特徴とする。
より具体的には、梃子杆の先端に上向きに凹形のフックを設け、該フックに掛止するリングを吊り下げ具の上端に設けたもの、又は梃子杆の先端に上向きな凹面部を設け、該凹面部に掛止するフックを吊り下げ具の上端に設けたことを特徴とする。
又、重錘は、プラスチック製の飲料容器に重り材を封入しても良い。
更に、バネを弾圧するバネ受けをバネの伸縮方向に進退自在に設けても良い。
【発明の効果】
【０００７】
要するに本発明は、受水槽内の水位に応じて上下揺動する梃子杆に連繋した弁体が弁箱内に設けた弁口を開閉弁することにより、受水槽の水位を予め設定された水位に維持する様に成したボールタップにおいて、弁体は閉弁方向にバネにて付勢され、梃子杆には受水槽内の水位に応じて浮沈する重錘を懸吊して成り、バネの付勢力は、梃子杆の重錘の未懸吊状態で閉弁状態を保持する様に設定すると共に、梃子杆による重錘の懸吊状態において前記の設定された水位では重錘の水中に漬かった重量に抗することで閉弁し、前記の設定された水位よりも低水位では重錘の水中に漬かった重量又は水上での重量が抗することで開弁する様に設定したので、通常は、重錘が受水槽内の水位に従い浮沈することで自動的に弁体が開閉弁し、弁口からの給水やその給水の停止が成され、受水槽内の水位を予め設定された水位に維持することができる。
そして、弁体の開弁中又は閉弁中のいずれの場合にあっても、不測の事故や震災等で梃子杆が可動しなくなったり、重錘が梃子杆より離脱する様な支障を生じ、重錘の浮沈を利用した弁体の開閉弁力が喪失しても、本発明に係るボールタップでは、バネの付勢力は梃子杆の重錘の未懸吊状態で閉弁状態を保持する様に設定されているので、閉弁状態ではその状態を維持し、開弁状態ではバネにて直ぐに閉弁して給水停止するため、水の出っ放しがなく、受水槽からの異常なオーバーフロー漏水による水の異常消費を未然に防ぐことができる。
【０００８】
梃子杆の先端には、重錘を懸吊する吊り下げ具の上端を、所定の振動・衝撃に感応して離脱可能に掛止したので、地震等の発生時に吊り下げ具が所定の振動・衝撃に感応すると、重錘は吊り下げ具と共に梃子杆から離脱するため、地震等で受水槽内に生ずる波浪が重錘に浮沈等の激しい動作を惹起させ、ボールタップ本体へ振動や衝撃が伝わることを遮断でき、ボールタップ本体の故障を防止すると共に、梃子杆は重錘の未懸吊状態と成り、バネによる閉弁方向の付勢力にて開弁中でも強制閉弁させられ、閉弁状態を保持して水の出っ放しを未然に阻止できる。
又、重錘が受水槽内に沈降して直ぐに取り出せないとか、破損した場合には、新規に重錘を懸吊した吊り下げ具を梃子杆に取付けるだけで簡単に復旧でき、交換品が無い場合でも使い捨てを前提としたプラスチック製の飲料用容器に砂又は水など封入して重錘と代替して梃子杆に懸吊するだけで、一時的にボールタップを復旧させることもできる。
【０００９】
梃子杆の先端に上向きに凹形のフックを設け、該フックに掛止するリングを吊り下げ具の上端に設けたので、地震やその他の不測の事故が起きた時に生じる所定の振動・衝撃に感応して梃子杆先端のフックから吊り下げ具のリングが離脱すると、上記と同様なる効果を奏することができる。
【００１０】
梃子杆の先端に上向きな凹面部を設け、該凹面部に掛止するフックを吊り下げ具の上端に設けたので、地震がやその他の不測の事故起きた時に生じる所定の振動・衝撃に感応して梃子杆先端の凹面部から吊り下げ具のフックが離脱すると、上記と同様なる効果を奏することができる。
【００１１】
重錘は、プラスチック製の飲料容器に重り材を封入して成るので、かかる飲料用容器は大量生産されて入手が容易であり、かかる飲料用容器に重り材として例えば受水槽の水を使用すれば、安価な重錘を提供でき、延いてはボールタップをコストダウンできる。
【００１２】
バネを弾圧するバネ受けをバネの伸縮方向に進退自在に設けたので、地域により違いのある給水圧力に応じてバネの付勢力を調節することにより、弁体の止水力を調整できる等その実用的効果甚だ大である。
【図面の簡単な説明】
【００１３】
【図１】本発明に係る第一実施例のボールタップの閉弁状態を示す側面図である。
【図２】同上ボールタップ本体の一部省略中央縦断面図である。
【図３】同上弁箱の一部破断底面図である。
【図４】第一の感振装置を示す要部側面図である。
【図５】第二の感振装置を示す一部破断側面図である。
【図６】同上一部省略平面図である。
【図７】ボールタップの変形例を示す一部省略中央縦断面図である。
【図８】ボールタップの第二実施例を示す一部省略中央縦断面図である。
【発明を実施するための形態】
【００１４】
以下本発明の実施の一形態例を図面に基づいて説明する。
図１〜３に示す本発明に係る第一実施例のボールタップは、図示しない受水槽内の貯留水Ｗの水位に応じて上下揺動する梃子杆１に連繋して弁体２が弁箱３内に設けた弁口４を開閉弁することにより、受水槽の水位を予め設定された水位（以下、設定水位Ｈと称する。）に維持するものであって、弁体２は閉弁方向にバネ５にて付勢され、梃子杆１には受水槽内の水位に応じて浮沈する重錘６を懸吊している。
【００１５】
このボールタップは、受水槽内に配管した図示しない給水管の下向きの給水口にユニオンナットを介して水密状に螺着される入口７と、出口８の流路９、10が上下方向でストレートな円筒形の弁箱３を設けている。
【００１６】
弁箱３内において、入口７に通じる一次側流路９と出口８に通じる二次側流路10の境界（入口７外周に設けたユニオンナット螺着用の雄螺子3a下方に相当）には、隔壁11が形成され、該隔壁11中央に円形の弁口４を形成すると共に、弁口４の周縁に弁座12を二次側流路10側へ突設している。
【００１７】
出口８は、弁箱３の下端開口部に取付けた底板13の中央に上方へ膨出形成した扁平円柱状の段丘の上面を貫設して成る。
更に、弁箱３の左右側壁において、雄螺子3aの下方にも、二次側流路10に連通する一対の略矩形状の出口8aを貫設している。
【００１８】
図２、３に示す様に、底板13は、弁箱３外径に合致した円板の左右に舌片13ａを突設して成り、該舌片13ａの中央には、ねじ挿通穴（図示せず）を貫設している。
【００１９】
一方、弁箱３下端の左右側壁には、所定高さを有する突条3bを設けると共に、該突条3b下端にのみ開口を有するねじ穴（図示せず）を設け、該ねじ穴には、上記ねじ挿通穴に通したビス14を螺着することにより、弁箱３の下端開口部に底板13を被着している。
【００２０】
又、弁箱３内において、二次側流路10中には、一次側圧力を開弁方向に受ける円板状の弁体２を弁座12に着離自在に設け、弁体２の下部には二次側流路10の内壁面を摺動する支持部材15を設けている。
【００２１】
支持部材15は、４枚の矩形羽根15ａを周方向で等間隔置きに外方突設して成り、開弁時に水の一部は隣接する矩形羽根15ａ間を通過して出口８から流出される。
【００２２】
又、各矩形羽根15ａ下端の先端側は、鉤型に切欠されてバネ押さえとして圧縮コイル状のバネ５の上端を配置すると共に、該バネ５の下端を底板13上の段丘に外嵌する様にして、支持部材15と底板13との間にバネ５を圧縮介装することにより、弁体２を閉弁方向に付勢している。
【００２３】
そして、各矩形羽根15ａの付け根となる支持部材15の軸心部は、弁箱３を前後（一直径方向）に貫通する前後に長い梃子杆１を挿通保持している。
梃子杆１は、断面形状が縦長な矩形状の帯板から成り、梃子杆１において、弁箱３を貫通突出する基端は、その左右で弁箱３後部に設けた一対の突片3c間に枢着され、これにより梃子杆１は、弁体２の閉弁状態で水平に保持され、バネ５の付勢力に抗して梃子杆１を下方揺動することにより開弁する。
【００２４】
重錘６は所定径を有する中空ボール内に水又は砂などの重り材（図示せず）を封入して所定重量に設定している。
そして、重錘６は吊り下げ具16を介して梃子杆１先端に連結される。
この吊り下げ具16は、所定長さのワイヤ16ａの上下端にリング16ｂ、16ｃを取付けて成り、下端リング16ｃを重錘６に設けた凸部6a上に突設したループ6bに連環し、上端リング16ｂを梃子杆１先端に設けた穿孔1aに連環することにより、重錘６を梃子杆１先端に懸吊している。
【００２５】
尚、重錘６は、上記の様な構成に限定されることなく、例えば図４にも示す様な市販の安価なプラスチック製の飲料容器Ｐに、上記と同様に水又は砂などの所定重量の重り材（図示せず）を封入したものであっても良く、この場合には、梃子杆１に吊り下げ具16の下端リング16ｃに飲料容器Ｐの首部をプラスチック製の結束バンドＢによって括り付けている。
【００２６】
バネ５の付勢力は、梃子杆１の重錘６の未懸吊状態で閉弁状態を保持する様に設定しており、梃子杆１の重錘６の懸吊状態において、設定水位Ｈでは水中に重錘６の全部又は略全部が漬かって浮力が作用する重量に抗することで閉弁する様に設定し、設定水位Ｈよりも下回った低水位では水中に重錘６の一部が漬かって浮力が作用する重量又は浮力が作用していない水上での重錘６の重量が抗することで開弁する様に設定している。
【００２７】
次に、梃子杆１に対する吊り下げ具16の連結を変更して、かかる連結部位に感振装置17を備えたボールタップについて図４〜６に基づき説明する。
尚、ボールタップ本体は、上記と同一構成のため、図４〜６では変更部分である感振装置17のみを表示し、上記と同一又は相当（主に吊り下げ具16に関する）部分には同じ符号を図中に付し、説明を省略する。
【００２８】
この感振装置17は、梃子杆１の先端に、重錘６を懸吊する吊り下げ具16の上端を、所定の振動・衝撃に感応して離脱可能に掛止している。
又、図４、５では、重錘６を飲料容器Ｐに水又は砂などの重り材を封入したもの（図５にあっては、その一部のみ示す。）を示したが、当然ながら、重錘６は図１に示す中空ボール内に水又は砂などの重り材を封入したものであっても良い。
【００２９】
図４に示す第一の感振装置17では、梃子杆１の先端に上向きに凹形のフック18を設け、該フック18に吊り下げ具16の上端リング16ｂを掛止している。
そして、地震やその他の不測の事故が起きた時に生じる所定の振動・衝撃に感応して梃子杆１先端のフック18から吊り下げ具16の上端リング16ｂが離脱すると、梃子杆１は重錘６の未懸吊状態と成り、バネ５による閉弁方向の付勢力にて弁体２の開弁状態では強制閉弁し、その閉弁状態を保持する。
【００３０】
図５、６に示す第二の感振装置17では、断面形状が縦長な矩形状の帯板から成る梃子杆１の先端方を９０度捻じり、その先端を比較的幅広な水平面と無し、かかる先端に上向きな凹面部19を凹設し、該凹面部19の中央に掛止するＣ型状のフック20を吊り下げ具16の上端に設けている。
そして、地震やその他の不測の事故が起きた時に生じる所定の振動・衝撃に感応して梃子杆１先端の凹面部19から吊り下げ具16上端のフック20が離脱すると、梃子杆１は重錘６の未懸吊状態と成り、バネ５による閉弁方向の付勢力にて弁体２の開弁状態では強制閉弁し、その閉弁状態を保持する。
【００３１】
次に、ボールタップの変形例を図７に基づき説明する。
このボールタップは、バネ受け兼用の底板13を変更したものであり、その他の構成は上記と基本的に同一のため、上記と同一又は相当部分には同じ符号を図中に付し、説明を省略し、図７ではボールタップ本体の一部省略中央縦断面図を示す。
【００３２】
このボールタップでは、バネ５を弾圧するバネ受け21をバネ５の伸縮方向に進退自在に設けている。
バネ受け21は、弁箱３の下端開口部に螺挿可能な円柱状に形成され、その上端面中央は扁平円柱状の段丘を上方へ膨出形成し、該段丘にバネ５の下端を外嵌する様にしてバネ受け21上端面に載置している。
【００３３】
又、バネ受け21において、段丘上面から下端にわたって円形状の出口８が貫設されており、バネ受け21下端面の一直径線上には一条の凹溝21ａを設けている。
そして、凹溝21ａにマイナスドライバーの穂先等を合致させ、バネ受け21を回転操作してバネ受け21の上下位置を調整することにより、地域によって違いのある給水圧力に対応する様にバネ５の付勢力を調節し、弁体２の止水力を調整する。
【００３４】
次にボールタップの第二実施例を図８に基づき説明する。
このボールタップにおいて、上記と同一又は相当部分には同じ符号を図中に付し、説明を省略する。
尚、図８において、梃子杆１先端、吊り下げ具16、感震装置17、及び重錘６は省略しているが、上記各実施例のいずれのものにも適用可能である。
【００３５】
このボールタップは、受水槽内壁を水密状に挿通して外部の給水管（図示せず）に接続される入口７と、下方に存する出口８の流路９、10が直角なアングル形の弁箱３を設けている。
【００３６】
出口８と同一軸線上にある弁箱３の上方開口部には、内部に円筒状のシリンダ22を有すると共に、外部と連通可能な通気口23を設けた蓋体24を水密状に被冠している。
【００３７】
そして、シリンダ22内には一次側圧力を閉弁方向に受けるピストン25を配し、該ピストン25と弁体２を弁軸26で連結している。
【００３８】
弁体２の軸線下部には、重錘６に連繋すると共に出口８上方で弁箱（二次側流路10）３を前後（一直径方向）に貫通する揺動杆27を挿通保持する弁棒28を垂設している。
揺動杆27において、弁箱３を貫通突出する基端は、弁箱３後部の突片3c間に枢着されると共に、その先端方を弁箱３の前部下方に開設した開口部3dに挿通している。
【００３９】
一方、弁箱３の前方上部には、梃子杆１の基端を枢着し、該梃子杆１の基端側下部と揺動杆27の先端部とを連杆29で枢着連結している。又、図中、30はストレーナである。
【００４０】
本実施例ではバネ５の下端は弁箱３の下端開口部に固定した底板13で受承しているが、図７に示すボールタップと同様にバネ受け21を弁箱３の下端開口部に螺挿してバネ５の付勢力を調節可能と成しても良い。
【００４１】
尚、本発明に係るボールタップは、その本体の構成が上記実施例１、２に示すものに限定されることなく、弁体２が、梃子杆１の重錘６の未懸吊状態で閉弁状態を保持する様にバネ５にて閉弁方向に付勢されることで、重錘６の浮沈を利用した弁体２の開閉弁力が喪失しても、閉弁状態を保持する様に構成されたものであれば、その他の構成のボールタップにも適用可能である。
【００４２】
上記の様に構成されたボールタップにあっては、通常は、受水槽内の貯留水Ｗの水位に応じて重錘６が浮沈することにより、上下揺動する梃子杆１に連動して弁体２が弁箱３内に設けた弁口４を開閉弁することにより、受水槽の水位を設定水位Ｈに維持している。
【００４３】
即ち、受水槽内の貯留水Ｗの水位が設定水位Ｈ以上では、水中に重錘６の全部又は略全部が漬かって浮力が作用する重量にバネ５の付勢力が抗することで梃子杆１には重錘６による下動力は作用せず、その水平状態が保持されると共に、弁体２は閉弁状態を保持している。
【００４４】
又、受水槽内の貯留水Ｗが設定水位Ｈよりも下回った低水位になると、水中に重錘６の一部が漬かって浮力が作用する重量、又は浮力が作用していない水上での重錘６の重量が、バネ５の付勢力に抗するため、梃子杆１を下方へ揺動させ、該梃子杆１に連繋する弁体２は弁座12より離脱して弁口４を開放する様に開弁し、該弁口４を通じて水が受水槽内へ供給される。
【００４５】
この給水により重錘６の浮力が増して再び浮上し、梃子杆１を上方へ揺動復帰させ、バネ５の付勢力に対する重錘６による抗力が消失すると、弁体２はバネ５の付勢力によって弁座12に着座し、弁口４を水密状に閉塞し、受水槽内の設定水位Ｈを保持する。
【００４６】
そして、弁体２の開弁中又は閉弁中のいずれの場合にあっても、不測の事故や震災等で梃子杆１が可動しなくなったり、重錘６が梃子杆１より離脱する様な支障を生じ、重錘６の浮沈を利用した弁体２の開閉弁力が喪失しても、バネ５の付勢力は、梃子杆１の重錘６の未懸吊状態で閉弁状態を保持する様に設定されているので、弁体２の閉弁状態ではその状態を維持し、開弁状態ではバネ５にて直ぐに閉弁して給水停止するため、水の出っ放しがなく、受水槽からの異常なオーバーフロー漏水による水の異常消費が未然に阻止される。
【００４７】
又、感振装置17を備えたボールタップにおいて、地震やその他の不測の事故が起きた時には、このときに生じる所定の振動・衝撃に感振装置17が感応する。
図４に示す第一の感振装置17では、梃子杆１先端のフック18から吊り下げ具16の上端リング16ｂが離脱する。
又、図５、６に示す第二の感振装置17では、梃子杆１先端の凹面部19から吊り下げ具16上端のフック20が離脱する。
【００４８】
すると、いずれのボールタップにおける梃子杆１も、重錘６の未懸吊状態と成り、バネ５による閉弁方向の付勢力にて弁体２の開弁中でも強制閉弁させられ、閉弁状態を保持して水の出っ放しを未然に阻止し、受水槽内の貯留水Ｗを確実に確保する。
【００４９】
この様に、重錘６を吊り下げ具16と共に梃子杆１（ボールタップ本体）から離脱させることで、地震等で受水槽内に生ずる波浪が重錘６に浮沈等の激しい動作を惹起させ、ボールタップ本体へ振動や衝撃が伝わることを遮断し、ボールタップ本体の故障を防止する。
【００５０】
又、重錘６の梃子杆１からの離脱後において、重錘６が受水槽内に沈降して直ぐに取り出せないとか、破損した場合には、新規に重錘６を懸吊した吊り下げ具16を梃子杆１に取付けるだけで簡単に復旧でき、交換品が無い場合でも使い捨てを前提としたプラスチック製の飲料用容器Ｐに砂又は水など封入して重錘６と代替して梃子杆１に懸吊するだけで、一時的にボールタップを復旧させられる。
【符号の説明】
【００５１】
１    梃子杆
２    弁体
３    弁箱
４    弁口
５    バネ
６    重錘
16    吊り下げ具
16ｂ  リング
18    フック
19    凹面部
20    フック
21    バネ受け
Ｐ    飲料容器
【要約】      （修正有）【課題】事故や災害などの発生時に故障を生じても給水を確実に停止可能なボールタップを提供する。【解決手段】受水槽内の水位に応じて上下揺動する梃子杆１に連繋した弁体２が弁箱３内に設けた弁口４を開閉弁することにより、受水槽の水位を予め設定された水位に維持する様に成したボールタップにおいて、弁体２は閉弁方向にバネ５にて付勢され、梃子杆１には受水槽内の水位に応じて浮沈する重錘を懸吊して成り、バネ５の付勢力は、梃子杆１の重錘の未懸吊状態で閉弁状態を保持する様に設定すると共に、梃子杆１の重錘の懸吊状態において前記の設定された水位では重錘の水中に漬かった重量に抗することで閉弁し、前記の設定された水位よりも低水位では重錘の水中に漬かった重量又は水上での重量が抗することで開弁する様に設定する。【選択図】図２【図１】
0005530018.tif 000002
【図２】
0005530018.tif 000003
【図３】
0005530018.tif 000004
【図４】
0005530018.tif 000005
【図５】
0005530018.tif 000006
【図６】
0005530018.tif 000007
【図７】
0005530018.tif 000008
【図８】
0005530018.tif 000009